(57)【特許請求の範囲】
【請求項１】
噴出するインクに振動を与えてインク粒子を発生させ、そのインク粒子を帯電・偏向させることにより、記録媒体上の所定の位置にインク粒子を到達させて記録を行うとともに、装置本体からの電気信号を印字ヘッドに伝える電線ならびにインク・溶剤の流路を収納した接続ケーブルの引き出し方向を前記印字ヘッド長手方向に対し交差する方向に変更可能なインクジェット記録装置において、
前記接続ケーブルを貫通させた印字ヘッドの側面に、前記接続ケーブルの外周を覆う保護被覆の印字ヘッド側を装着する第１の接続フランジを取り付け、前記保護被覆の印字ヘッド側端部には、前記第１の接続フランジにネジ止めされる第２の接続フランジを取り付け、前記第１および第２の接続フランジの平板部には、前記接続ケーブルを印字ヘッドベース板の長手方向と同方向に引き出す場合に、前記両フランジをネジ止めする同一ピッチのネジ穴を設け、さらに前記第１の接続フランジの平板側面には、前記接続ケーブルの引き出し方向を前記印字ヘッド長手方向に対し交差する方向に変更する場合に、前記第２の接続フランジを前記第１の接続フランジの側面にネジ止めする同一ピッチのネジ穴を設けたことを特徴とするインクジェット記録装置。
【請求項２】
請求項１に記載のインクジェット記録装置において、前記接続ケーブルの引き出し方向を前記印字ヘッド長手方向に対し交差する方向に変更する場合に、前記第１の接続フランジと第２の接続フランジの間で屈曲された前記接続ケーブルを保護する保護ブロックを前記第１の接続フランジと第２の接続フランジの間に取付けたことを特徴とするインクジェット記録装置。
【発明の詳細な説明】
【０００１】
【発明の属する技術分野】
本発明は、インクジェット記録装置、さらに詳細には、インクジェット記録装置の印字ヘッドに関する。
【０００２】
【従来の技術】
インクジェット記録装置の印字ヘッドは生産ラインに組み込み使用される。
【０００３】
インクジェット記録装置は、装置本体からの電気信号を印字ヘッドに伝える電線ならびにインク・溶剤の流路を収納した接続ケーブルを、印字ヘッドのベース板に取り付け、装置本体と印字ヘッド間を結び、印字ヘッドのみを生産ラインに組み込んでいた。
【０００４】
【発明が解決しようとする課題】
前述したように、インクジェット記録装置は生産ラインに組み込み使用される。
【０００５】
そして、生産ラインの配置替えによって設置スペースが限られることがあり、前記接続ケーブルが印字ヘッドベース板の長手方向に取り付けられている印字ヘッドでは、接続ケーブルの引出し方向を変えようとした場合、接続ケーブルの外周を覆う保護被覆の最小屈曲半径には制限があるため、生産ラインに組み込めなくなるケースも出てくる可能性がある。
【０００６】
本発明の課題は、限られた狭い設置スペースにも組み込み可能な印字ヘッドを備えたインクジェット記録装置を提供することにある。
【０００７】
【課題を解決するための手段】
前記課題は、インク粒子により記録を行うインクジェット記録装置において、装置本体からの電気信号を印字ヘッドに伝える電線ならびにインク・溶剤の流路を収納した接続ケーブルの引き出し方向を変更する手段を備えることによって達成される。
【０００８】
【発明の実施の形態】
以下、本発明の実施例を図１、図２に基づいて説明する。
【０００９】
図１は印字ヘッド１００の構成をモデル図的に示すもので、ベース板１上にノズル２、帯電電極３、偏向電極４、ガター５が設置され、印字ヘッド１００の側面には、装置本体からの電気信号を印字ヘッド１００に伝える電線ならびにインク・溶剤の流路を収納した接続ケーブル１２を通過させるための中空形状をなす雄ネジ６が設けられている。
【００１０】
雄ネジ６には、角型平板状の第１の接続フランジ１０を印字ヘッド１００の側面に取り付けるナット１１がネジ止めされている。すなわち、接続ケーブル１２を貫通させた印字ヘッド１００の側面には、この接続ケーブル１２の外周を覆う保護被覆１３の印字ヘッド１００側を装着する第１の接続フランジ１０が取り付けられている。保護被覆１３の印字ヘッド１００側端部には、前記第１の接続フランジ１０にネジ止めされる第２の接続フランジ１４が取り付けられている。第１および第２の接続フランジ１０、１４の平板部には、接続ケーブル１２を印字ヘッドベース板１の長手方向と同方向に引き出す場合に、前記両フランジ１０、１４をネジ止めする同一ピッチのネジ穴９、１５がそれぞれ設けられている。第１、第２の接続フランジ１０、１４の平板側面には、接続ケーブル１２の取付方向が変わった場合に、前記両フランジ１０、１４をネジ止めする同一ピッチのネジ穴７、１７がそれぞれ設けられている。
【００１１】
これにより、接続ケーブル１２の引出し方向が従来と同様、印字ヘッドベース板１の長手方向と同方向に引き出された印字ヘッド１００が形成される。
【００１２】
図２に接続ケーブル１２の引出し方向を変更する場合を示す。
【００１３】
雄ネジ１６を外し、第２の接続フランジ１４を第１の接続フランジ１０から取り外す。次に、第１、第２の接続フランジ１０、１４の平板側面に設けた同一ピッチのネジ穴７、１７に対し、雄ネジ１６をネジ止めして前記両フランジ１０、１４を取り付ける。なお、この状態では、第１、第２の接続フランジ１０、１４間において、接続ケーブル１２の保護被覆１３がなく、接続ケーブル１２は外から受ける衝撃によって傷、折れ、曲がり等の不具合を生じる場合のあり得ることを予め予想しておくのがよい。そこで、第１、第２の接続フランジ１０、１４間において、接続ケーブル１２の保護として、ケーブル通過用の溝を形成した保護ブロック１８を第２の接続フランジ１４に取り付ける。具体的には、第２の接続フランジ１４、保護ブロック１８に設けた同一ピッチのネジ穴１５、１９に対し、雄ネジ２０をネジ止めして第２の接続フランジ１４と保護ブロック１８を取り付ける。
【００１４】
【発明の効果】
本発明によれば、第１の接続フランジの平板側面に接続ケーブルの引き出し方向を印字ヘッド長手方向に対し交差する方向に変更する場合に、第２の接続フランジを第１の接続フランジの側面にネジ止めする同一ピッチのネジ穴を設けたことにより、限られた印字ヘッドの設置スペースに対し、装置本体からの電気信号を印字ヘッドに伝える電線ならびにインク・溶剤の流路を収納した接続ケーブルの引出し方向を、印字ヘッドベース板の長手方向と交差する方向に変更可能として、狭い設置スペースにも組み込み可能な印字ヘッドを備えたインクジェット記録装置を提供することができる。
また、保護被覆でカバーできない接続ケーブル屈曲部を保護ブロックで保護することにより、接続ケーブルの衝撃による傷、折れ、曲がり等の不具合を防止することができる。
【図面の簡単な説明】
【図１】本発明の一実施例に係るプリントヘッドの構成モデル図である。
【図２】図１の状態において、接続ケーブルの引出し方向を印字ヘッド長手方向軸心から直角方向に変更する場合の説明図である。
【符号の説明】
１００…印字ヘッド、１…ベース板、２…ノズル、３…帯電電極、４…偏向電極、５…ガター、６…雄ネジ、７…ネジ穴、８…接続ケーブル通過穴、９…ネジ穴、１０…第１の接続フランジ、１１…ナット、１２…接続ケーブル、１３…保護被覆、１４…第２の接続フランジ、１５…ネジ穴、１６…雄ネジ、１７…ネジ穴、１８…保護ブロック、１９…ネジ穴、２０…雄ネジ。
【図１】
0004607357.tif 000002
【図２】
0004607357.tif 000003